(57)【要約】【課題】冷却又は加熱された液体を貯留する貯水タンクを備えた給水装置において、貯水タンク内の液体と出水管の液体との温度差拡大を抑制する。【解決手段】冷水出水管２３は、冷水タンク２０の底壁からケース１１の前面側に向かって延びる部分では、外周面が冷水タンク２０の底壁外面に接するように配置されている。また、冷水出水管２３は、高さ方向上側に延びる部分では、冷水タンク２０の周壁外面に接するように配置されている。冷却管２５は、冷水タンク２０の周壁内面に沿うように設けられているので、冷却管２５と冷水出水管２３の高さ方向に延びる部分（冷水タンク２０の周壁外面に接する部分）の下方側とは、冷水タンク２０の周壁を挟んで間接するように対向している。【選択図】図１
2009286422.tif 000002
【特許請求の範囲】
【請求項１】
冷却又は加熱された液体を貯留する貯水タンクを備えるとともに該貯水タンク内の液体を外部に出水するための出水管を設けた給水装置であって、
前記出水管は、その外周面が前記貯水タンクの外壁面に接するように配置されていることを特徴とする給水装置。
【請求項２】
前記貯水タンク内には、その内壁面に沿って水温調節部材が設けられ、前記水温調節部材と前記出水管の一部とが前記貯水タンクの壁を挟んで対向していることを特徴とする請求項１に記載の給水装置。
【発明の詳細な説明】
【技術分野】
【０００１】
本発明は、冷却又は加熱された液体を貯留する貯水タンクを備えた給水装置に関する。
【背景技術】
【０００２】
従来、冷却又は加熱された液体を貯水タンク内に貯留し、この液体を供給することのできる給水装置が知られている。この種の給水装置としては、特許文献１に開示されているものが知られている。特許文献１の給水装置は、図４に示すように、内部が中空の筐体４１の内部に円筒状の貯水タンク４２が設けられている。この貯水タンク４２の外周には、冷却パイプ４３が螺旋状に巻回されており、この冷却パイプ４３によって貯水タンク４２及び貯水タンク４２内の水が所定の温度にまで冷却される。また、貯水タンク４２及び冷却パイプ４３を覆うように断熱材４４が設けられている。そして、貯水タンク４２の最下部には、出水孔４５が穿設されるとともにこの出水孔４５には、出水パイプ４６が接続されている。出水パイプ４６は、断熱材４４及び筐体４１を貫通して筐体４１の外側にまで延設されている。そして、出水パイプ４６には図示しない出水電磁弁が取り付けられており、出水電磁弁が開状態となることで貯水タンク４２内の冷水が出水パイプ４６を介して供給される。なお、図４では、特許文献１における図１を略式図示している。
【特許文献１】特開平０７−０４７３７５号公報
【発明の開示】
【発明が解決しようとする課題】
【０００３】
特許文献１の給水装置においては、出水パイプ４６が貯水タンク４２から延びて断熱材４４の外側に至っているため、出水パイプ４６は外気温の影響を受けて温度が上昇しやすい。さらに、出水パイプ４６の流路断面積は貯水タンク４２に比べて小さいため、出水電磁弁が閉じた状態では、出水パイプ４６内の冷水と貯水タンク４２内の冷水とが混ざり合いにくい。そのため、出水電磁弁が閉じたままであると、出水パイプ４６の温度が上昇して出水パイプ４６内の冷水の温度が上昇してしまう。この状態で出水電磁弁が開かれると、仮に貯水タンク４２内の冷水が所定の冷却温度に保たれていたとしても、先ず出水パイプ４６内の温められた水が出水されることになる。したがって、たとえば、数時間〜数日の間、出水しなかった後の最初の出水では、出水パイプ４６の容積に応じた量の温められた水が出水されることになり、好ましくない。
【０００４】
本発明は、このような従来技術の課題に鑑みてなされたものであって、その目的は、冷却又は加熱された液体を貯留する貯水タンクを備えた給水装置において、貯水タンク内の液体と出水管の液体との温度差拡大を抑制することにある。
【課題を解決するための手段】
【０００５】
上記の目的を達成するために、請求項１に記載の発明は、冷却又は加熱された液体を貯留する貯水タンクを備えるとともに該貯水タンク内の液体を外部に出水するための出水管を設けた給水装置であって、前記出水管は、その外周面が前記貯水タンクの外壁面に接するように配置されていることを特徴とする。
【０００６】
この構成によれば、冷却又は加熱された液体の熱が貯水タンクの外壁を介して出水管の外周面に伝わるので、出水管の温度が貯水タンク内の液体の温度と等しくなりやすい。そのため、出水管内部における液体の温度が貯水タンク内の温度から変化しにくく、貯水タンク内の液体と出水管内部の液体との温度差拡大が抑制される。
【０００７】
請求項２に記載の発明は、請求項１に記載の発明の給水装置において、前記貯水タンク内には、その内壁面に沿って水温調節部材が設けられ、前記水温調節部材と前記出水管の一部とが前記貯水タンクの壁を挟んで対向していることを特徴とする。
【０００８】
この構成によれば、水温調節部材と出水管の一部とが貯水タンクの壁を挟んで対向していることから、水温調節部材の熱が出水管により伝わりやすく、出水管内部の液体の温度が変化することをより効果的に抑制することができる。
【発明の効果】
【０００９】
本発明の給水装置によれば、冷却又は加熱された液体の温度が出水管内部において変化することを抑制して、貯水タンク内の液体と出水管内部の液体との温度差拡大を抑制することができる。
【発明を実施するための最良の形態】
【００１０】
以下、本発明の給水装置に関する実施形態を図１及び図２にしたがって説明する。図１に示すように、略四角柱状で上面に開口１１ａを有するケース１１の内部には、該ケース１１の高さ（図１において上下方向の長さ）と略同じ高さの支持体１２が設けられている。支持体１２には、冷却された液体を貯留する冷水タンク２０と加熱された液体を貯留する温水タンク３０とが固定されている。
【００１１】
図１及び図２に示すように、略円筒形状に形成された冷水タンク２０は、支持体１２の上方（ケース１１内部において上方）に固定され、冷水タンク２０の上壁２０ａがケース１１の上面に形成された開口１１ａを介して露出するようになっている。冷水タンク２０の上壁２０ａには、ボトルＢを装着するためのボトル装着部２１が設けられている。ボトル装着部２１は、冷水タンク２０の上壁２０ａが内側に窪むようにして形成されており、ボトル装着部２１の底部分には取水口２２が形成されている。取水口２２にはボトルＢの口具が密着するように嵌め合わせられ、この取水口２２を介してボトルＢ内の液体が冷水タンク２０内に供給できるようになっている。また、冷水タンク２０の底壁には冷水タンク２０内の液体を外部に出水するための冷水出水管２３が接続されている。
【００１２】
冷水タンク２０の底壁に接続された冷水出水管２３は、冷水タンク２０の底壁からケース１１の前面側（図１において右側）に向かって延び、次いで冷水タンク２０の高さ方向上側に延び、さらにケース１１の前面側に向かって延びてケース１１を貫通している。そして、冷水出水管２３の先端には止水及び出水を切り替えるための冷水コック２４が取り付けられている。
【００１３】
図１及び図２に示すように、冷水タンク２０の内部には、冷水タンク２０内の液体を冷却するための冷却管２５が設けられている。冷却管２５は、冷水タンク２０の内壁面のうち周壁内面に沿うように螺旋状（コイル状）に形成され、冷水タンク２０の底壁内面上に載置されている。なお、冷却管２５は、図示しないコンプレッサから内部に冷媒が送られることで冷却される。
【００１４】
図１及び図２に示すように、略円筒形状に形成された温水タンク３０は、冷水タンク２０の下方に位置するように支持体１２に固定されている。温水タンク３０の上壁には、温水タンク３０内に液体を供給するための供給管３１が形成されている。供給管３１は、温水タンク３０の上壁から上方に向かって延びるとともに、冷水タンク２０の底壁を貫通して冷水タンク２０の内部にまで至っている。
【００１５】
供給管３１の先端には、円板状の対流防止板３２が形成されている。対流防止板３２は、水平に配置されているとともに冷水タンク２０の底壁内面に対して所定の高さ位置となるように配置されている。なお、対流防止板３２の冷水タンク２０の底壁内面に対する高さ位置は、冷水タンク２０の容量や冷却管２５の冷却能力等を勘案して決定され、本実施形態では、冷却管２５の上端の高さと等しくなるように設定されている。そして、温水タンク３０の底壁には温水タンク３０内の液体を外部に出水するための温水出水管３３が接続されている。
【００１６】
温水タンク３０の底壁に接続された温水出水管３３は、温水タンク３０の底壁からケース１１の前面側（図１において右側）に向かって延び、次いで温水タンク３０の高さ方向上側に延び、さらにケース１１の前面側に向かって延びてケース１１を貫通している。そして、温水出水管３３の先端には止水及び出水を切り替えるための温水コック３４が取り付けられている。
【００１７】
図１及び図２に示すように、温水タンク３０の内部には、温水タンク３０内の液体を加熱するための加熱管３５が設けられている。加熱管３５は、温水タンク３０の内壁面のうち周壁内面に沿うように螺旋状（コイル状）に形成され、温水タンク３０の底壁内面上に載置されている。なお、加熱管３５は、図示しない給電装置から電流が供給されることによって発熱する。
【００１８】
図２に示すように、冷水出水管２３は、冷水タンク２０の底壁からケース１１の前面側に向かって延びる部分では、外周面が冷水タンク２０の底壁外面に接するように配置されている。また、冷水出水管２３は、高さ方向上側に延びる部分では、冷水タンク２０の周壁外面に接するように配置されている。冷却管２５は、冷水タンク２０の周壁内面に沿うように設けられているので、冷却管２５と冷水出水管２３の高さ方向に延びる部分（冷水タンク２０の周壁外面に接する部分）とは、冷水タンク２０の周壁を挟んで間接するように対向している。なお、図２では、ケース１１及び支持体１２の図示を省略している。
【００１９】
冷水出水管２３は、その延設方向において冷水タンク２０の外壁面に接する部分の長さＸが冷水タンク２０の外壁面に接していない部分の長さＹよりも長くなるように形成されている。なお、本実施形態では、冷水出水管２３は、冷水タンク２０の底壁外面及び周壁外面に接しているので、外壁面に接する部分の長さＸは、底壁外面に接する部分の長さＸ１と周壁外面に接する部分の長さＸ２を加算したものである（Ｘ１＋Ｘ２＝Ｘ）。
【００２０】
図２に示すように、温水出水管３３は、温水タンク３０の底壁からケース１１の前面側に向かって延びる部分では、外周面が温水タンク３０の底壁外面に接するように配置されている。また、温水出水管３３は、高さ方向上側に延びる部分では、温水タンク３０の周壁外面に接するように配置されている。加熱管３５は、温水タンク３０の周壁内面に沿うように設けられているので、加熱管３５と温水出水管３３の高さ方向に延びる部分（温水タンク３０の周壁外面に接する部分）の下方側とは、温水タンク３０の周壁を挟んで間接するように対向している。
【００２１】
温水出水管３３は、その延設方向において温水タンク３０の外壁面に接する部分の長さＭが温水タンク３０の外壁面に接していない部分の長さＮよりも長くなるように形成されている。なお、本実施形態では、温水出水管３３は、温水タンク３０の底壁外面及び周壁外面に接しているので、外壁面に接する部分の長さＭは、底壁外面に接する部分の長さＭ１と周壁外面に接する部分の長さＭ２を加算したものである（Ｍ１＋Ｍ２＝Ｍ）。
【００２２】
次に、上記のように構成された給水装置の作用について説明する。
冷水タンク２０のボトル装着部２１にボトルＢを装着すると、ボトルＢ内の液体が冷水タンク２０内に供給される。また、冷水タンク２０内の水位が対流防止板３２（供給管３１の先端）よりも上方になると、冷水タンク２０内の液体が供給管３１を介して温水タンク３０に供給される。そして、冷水タンク２０及び温水タンク３０の内部は液体によって満たされる。
【００２３】
冷水タンク２０内の液体は冷却管２５によって冷却される。このとき、冷却管２５は冷水タンク２０の底壁内面上に載置されているので、冷水タンク２０内において下方側の液体が冷やされる。また、対流防止板３２によって液体の対流を抑制しているので、冷却された下方側の液体が上方に対流しにくい。したがって、冷水タンク２０内では、対流防止板３２の高さ位置を基準とすると、上側の液体の方が温度が高く下側の液体の方がより冷却された状態にある。なお、対流防止板３２は、供給管３１の先端に設けられているので、温水タンク３０には、主として対流防止板３２よりも上方の液体が供給される。
【００２４】
冷水タンク２０内の液体が冷却されると、それに伴って冷水タンク２０も冷却される。本実施形態では、冷水出水管２３の外周面は冷水タンク２０の底壁外面及び周壁外面に接しているので、冷水タンク２０内の液体の熱（冷却温度）が冷水タンク２０の底壁外面及び周壁外面を介して伝わって冷水出水管２３が冷却される。そのため、冷水タンク２０内の液体と冷水出水管２３内の液体との温度差が小さくなる。
【００２５】
とくに、冷水出水管２３は、その延設方向において冷水タンク２０の外壁面（底壁外面及び周壁外面）に接する部分の長さＸが接していない部分の長さＹよりも長く形成されており、接触面積が大きくなっている。そのため、冷水タンク２０内の液体の熱が効率よく冷水出水管２３に伝わる。また、冷水出水管２３の高さ方向上方に延びる部分と冷却管２５とは、冷水タンク２０の周壁を挟んで間接するように対向しているので、冷却管２５の熱が冷水タンク２０の周壁を介して冷水出水管２３に伝わりやすい。
【００２６】
冷水タンク２０内の液体は、冷水コック２４を出水状態に切り替えることで出水される。上で説明したように、冷水出水管２３は冷却されて冷水出水管２３内の液体の温度と冷水タンク２０内の液体の温度との差が小さくなっているので、冷水コック２４が長時間止水状態あった後に出水しても、温度上昇が抑制された冷却液体が出水される。冷水タンク２０内の液体が出水されると冷水タンク２０内の水位が下がるので、その出水された分の液体が取水口２２を介してボトルＢから供給される。
【００２７】
一方、温水タンク３０内の液体は加熱管３５によって加熱され、それに伴って温水タンク３０も加熱される。本実施形態では、温水出水管３３の外周面は温水タンク３０の底壁外面及び周壁外面に接しているので、温水タンク３０内の液体の熱（加熱温度）が温水タンク３０の底壁外面及び周壁外面を介して伝わって温水出水管３３が加熱される。そのため、温水タンク３０内の液体と温水出水管３３内の液体との温度差が小さくなる。
【００２８】
とくに、温水出水管３３は、その延設方向において温水タンク３０の外壁面（底壁外面及び周壁外面）に接する部分の長さＭが接していない部分の長さＮよりも長く形成されており、接触面積が大きくなっている。そのため、温水タンク３０内の液体の熱が効率よく温水出水管３３に伝わる。また、温水出水管３３の高さ方向上方に延びる部分と加熱管３５とは、温水タンク３０の周壁を挟んで間接するように対向しているので、加熱管３５の熱が温水タンク３０の周壁を介して温水出水管３３に伝わりやすい。
【００２９】
温水タンク３０内の液体は、温水コック３４を出水状態に切り替えることで出水される。上で説明したように、温水出水管３３は加熱されて温水出水管３３内の液体の温度と温水タンク３０内の液体の温度との差が小さくなっているので、温水コック３４が長時間止水状態あった後に出水しても、温度低下が抑制された加熱液体が出水される。温水タンク３０内の液体が出水されると温水タンク３０内の水位が下がるので、その出水された分の液体が供給管３１を介して温水タンク３０内に供給される。温水タンク３０内に液体が供給されると、冷水タンク２０内の水位が下がるので、冷水タンク２０には温水タンク３０内に供給した分の液体が取水口２２を介してボトルＢから供給される。
【００３０】
上記の実施形態によれば、以下のような作用効果を得ることができる。
（１）上記実施形態では、冷水出水管２３の外周面が冷水タンク２０の外壁面（底壁外面及び周壁外面）に接するように配置されている。そのため、冷却された液体の熱が冷水タンク２０の外壁面を介して冷水出水管２３の外周面に伝わるので、冷水出水管２３の温度が冷水タンク２０内の液体の温度と等しくなりやすい。同様に、温水出水管３３の外周面が冷水タンク２０の外壁面（底壁外面及び周壁外面）に接するように配置されている。そのため、加熱された液体の熱が温水タンク３０の外壁面を介して温水出水管３３の外周面に伝わるので、温水出水管３３の温度が温水タンク３０内の液体の温度と等しくなりやすい。したがって、両出水管２３、３３内部における液体の温度が両タンク２０、３０の温度から変化しにくく、両タンク２０、３０内の液体と両出水管２３、３３の液体との温度差拡大が抑制される。
【００３１】
（２）上記実施形態では、冷却管２５と冷水出水管２３の高さ方向上側に延びる部分の下方側が冷水タンク２０の周壁を挟んで間接するように対向している。また、加熱管３５と温水出水管３３の高さ方向上側に延びる部分の下方側が温水タンク３０の周壁を挟んで間接するように対向している。したがって、冷却管２５及び加熱管３５の熱がそれぞれ冷水出水管２３及び温水出水管３３に伝わりやすく、両出水管２３、３３内部の液体の温度が変化することをより効果的に抑制することができる。
【００３２】
（３）上記実施形態では、冷水出水管２３は、その延設方向において冷水タンク２０の外壁面（底壁外面及び周壁外面）に接する部分の長さＸが接していない部分の長さＹよりも長く形成されている。また、温水出水管３３は、その延設方向において温水タンク３０の外壁面（底壁外面及び周壁外面）に接する部分の長さＭが接していない部分の長さＮよりも長く形成されている。そのため、両タンク２０、３０内の液体の熱が両出水管２３、３３に伝わりやすい。
【００３３】
（４）上記実施形態では、供給管３１の先端に設けられた対流防止板３２によって冷水タンク２０内の液体の対流を抑制するようにした。そのため、対流防止板３２を基準として下側の液体の温度の方が比較的に低くなり、上側の液体の温度の方が比較的に高くなりやすい。温水タンク３０内には、冷水タンク２０内の液体のうち主として対流防止板３２よりも上側の温度の比較的に高い液体が供給されるので、加熱に必要なエネルギーが少なくて済む。
【００３４】
なお、上記の実施形態は以下のように変更してもよく、また、以下の各変更例を互いに組み合わせて実施することも可能である。
・  上記実施形態では、冷水出水管２３と冷却管２５とが冷水タンク２０の周壁を挟んで間接するように対向していた。この構成に代えて、冷水出水管２３と冷却管２５とが冷水タンク２０の底壁を挟んで対向するようにしてもよい。たとえば、図３に記載の給水装置では、冷却管２５は、冷水タンク２０の底壁内面に沿うように渦巻状に形成され、冷水タンク２０の底壁内面上に載置されている。冷水出水管２３は、冷水タンク２０の底壁に接続され、前側（図３において右側）に向かって水平に延びている。冷水出水管２３は、冷水タンク２０の底壁外面に接触するように配置され、渦巻状の冷却管２５と冷水出水管２３は、冷水タンク２０の底壁を挟んで間接するように対向している。
【００３５】
給水装置においては、出水操作を容易にするため、あるいはケース１１の外側に冷水コック２４を配置するため、冷水出水管２３は、冷水タンク２０から所定長さ分前側（図３において右側）に延びている必要がある。上記の変更例では、冷水出水管２３が前側に向かって水平に延びているため、前記所定の長さを確保するための冷水出水管２３の長さが最短となっている。そのため、冷水出水管２３の温度が外気温の影響で上昇することが抑制される。
【００３６】
・  冷水出水管２３の冷水タンク２０と接している部分の長さＸと接していない部分の長さＹとの関係は上記実施形態のものに限らず、接していない部分の長さＹを接している部分の長さＸよりも大きくしてもよい。ただし、冷水タンク２０と接している部分の長さＸの割合が大きいほど、冷水出水管２３を冷却する効果が高くなり、冷水タンク２０内の液体と冷水出水管２３内の液体の温度差が拡大することを効果的に抑制できる。そのため、冷水出水管２３の冷水タンク２０と接している部分の長さＸが接していない部分の長さＹよりも大きい方が好ましい。
【００３７】
・  上記実施形態では、冷水出水管２３は、冷水タンク２０の底壁外面及び周壁外面に接するように配置されていたが、底壁外面及び周壁外面の何れか一方の外壁面と離間するように配置してもよい。
【００３８】
・  冷水出水管２３の延設方向は、上記実施形態のものに限らない。たとえば、上記実施形態において、冷水出水管２３の高さ方向上側に延びる部分を冷水タンク２０の周方向沿って巻き付くように形成し、この部分が冷水タンク２０と接するように配置してもよい。また、冷水出水管２３の冷水タンク２０への接続位置は底壁に限らず、周壁に接続してもよい。
【００３９】
・  冷水出水管２３の構成に拘わらず、冷却管２５の形状や配置を自由に変更してもよい。たとえば、冷却管２５を冷水タンク２０の底壁内面に載置するのではなく、冷水タンク２０の周壁内面に固定するなどして、冷水タンク２０内の上方に設けてもよい。さらに、冷却管２５の形状は螺旋状に限らず、たとえば棒状に形成して冷水タンク２０の中心軸上に設けてもよい。また、上記実施形態では冷却管２５を冷水タンク２０内に設け、冷水タンク２０内にて液体を冷却するようにしていた。このような構成に代えて、冷却管２５を省略して、給水装置とは別の冷却手段にて冷却された液体を冷水タンク２０内に貯留するようにしてもよい。これらの構成では、冷却管２５と冷水出水管２３とが間接するように対向していないが、冷水タンク２０が冷水タンク２０内の液体によって冷却され、この冷水タンク２０によって冷水出水管２３が冷却されるので、冷水タンク２０内の液体と冷水出水管２３内の液体の温度差拡大を抑制することができる。
【００４０】
・  冷水タンク２０の外壁面に冷水出水管２３を配置するための収容溝部を設けてもよい。具体的には、たとえば、冷水出水管２３が断面円形状に形成されている場合、冷水タンク２０の外壁面に冷水出水管２３の形状に沿って断面半円状の収容溝部を凹設する。そして、この収容溝部に冷水出水管２３を配置する。この構成によれば、冷水タンク２０の外壁面と冷水出水管２３との接触面積を大きくすることができる。したがって、冷水出水管２３が冷水タンク２０によって冷却されやすく、冷水出水管２３内の液体の温度と冷水タンク２０内の液体の温度との差が大きくなることを効果的に抑制することができる。また、収容溝部は凹設されるものに限らず、たとえば、冷水タンク２０の外壁面に凸部を形成し、冷水タンク２０の外壁面と凸部の外面とで囲われる部分を収容溝部としてもよい。
【００４１】
以上のように、冷水出水管２３及び冷却管２５の配置構成等は、液体の冷却温度、冷水タンク２０の容量、及び冷却管２５の冷却性能等の給水装置の全体構成を勘案して変更することができる。なお、上記の変更例では、冷水タンク２０、冷水出水管２３及び冷却管２５について説明したが、温水タンク３０、温水出水管３３及び加熱管３５についても同様で、上記の冷水出水管２３及び冷却管２５と同じように変更することができる。
【００４２】
・  対流防止板３２と冷却管２５との高さ位置の関係は、上記実施形態のものに限らない。対流防止板３２の高さ位置を冷却管２５の上端よりも上方に設定してもよいし、下方に設定してもよい。さらに、対流防止板３２を省略することも可能である。
【００４３】
・  上記実施形態では、冷水タンク２０の下方に温水タンク３０を配置したが、温水タンク３０の下方に冷水タンク２０を配置してもよい。また、冷水タンク２０と温水タンク３０とを同じ高さ位置に配置してもよい。さらに、上記実施形態では、冷水タンク２０内の液体を温水タンク３０内に供給するようにしたが、温水タンク３０内の液体を冷水タンク２０内に供給するようにしてもよい。また、上記実施形態では、冷水タンク２０及び温水タンク３０は、共通のボトルＢを液体の供給源としていたが、冷水タンク２０の液体の供給源となるボトルＢと温水タンク３０の液体の供給源となるボトルＢとを別にしてもよい。
【００４４】
・  上記実施形態では、冷水タンク２０及び温水タンク３０の底壁外面及び周壁外面にはそれぞれ冷水出水管２３及び温水出水管３３の外周面が接していた。このようなタンクに出水管を接するように配置する構成は、必ずしも両タンク２０、３０に適用する必要はなく、何れか一方のみでもよい。
【００４５】
・  上記実施形態では、冷水タンク２０及び温水タンク３０は、略円筒形状に形成されていたが、これを変更して四角柱状や球状にしてもよい。
・  上記実施形態では、冷水タンク２０及び温水タンク３０の二つの貯水タンクを設けていたが、冷水タンク２０のみを設けたり、温水タンク３０のみを設けたりしてもよい。また、三つ以上のタンクを設けるようにしてもよい。
【００４６】
次に、上記の実施形態及び変更例から把握できる技術的思想について以下に追記する。
・  前記出水管はその延設方向において前記貯水タンクと接する部分の長さが前記貯水タンクと接していない部分の長さよりも長く形成されていることを特徴とする給水装置。
【００４７】
・  前記水温調節部材は前記貯水タンクの底壁面に沿って設けられ、前記出水管は前記貯水タンクの底壁から水平に延びるように形成されていることを特徴とする給水装置。
・  前記貯水タンクの外壁面には収容溝部が形成され、前記出水管は前記収容溝部に配置されていることを特徴とする給水装置。
【図面の簡単な説明】
【００４８】
【図１】実施形態における給水装置の断面図。
【図２】実施形態における給水装置の拡大断面図。
【図３】変更例における給水装置の拡大断面図。
【図４】従来の給水装置の断面図。
【符号の説明】
【００４９】
２０…貯水タンクとしての冷水タンク、２３…冷水出水管、２５…水温調節部材としての冷却管、３０…貯水タンクとしての温水タンク、３３…温水出水管、３５…水温調節部材としての加熱管。
【図１】
2009286422.tif 000003
【図２】
2009286422.tif 000004
【図３】
2009286422.tif 000005
【図４】
2009286422.tif 000006